(57)【要約】【課題】  最大消費電力を抑え、手洗い時に蛇口からの吐水温度、吐水量を確保できるトイレ用手洗い機を提供すること。【解決手段】  トイレ室内に人が入室したことを検知する人検知センサ２３と、人検知センサ２３からの信号を受けて水を加熱するヒータ２１と、ヒータ２１により加熱された水を溜めるタンク１３と、から構成されるトイレ用手洗い機１であって、使用者がトイレ室内に入室してトイレを使用している時には、一度の手洗いに必要な水量をヒータ２１で加熱して、手洗いの適温より低い温度の水をタンク１３に溜め、使用者の手洗い時には、タンク１３に溜めた適温より低い温度の水をヒータ２１で適温まで加熱して蛇口１６から吐水する構成である。【選択図】  図１
2010236233.tif 000002
【特許請求の範囲】
【請求項１】
トイレ室内に人が入室したことを検知する人検知手段と、
前記人検知手段からの信号を受けて水を加熱するヒータと、
前記ヒータにより加熱された前記水を溜めるタンクと、から構成されるトイレ用手洗い機であって、
使用者が前記トイレ室内に入室してトイレを使用している時には、一度の手洗いに必要な水量を前記ヒータで加熱して、手洗いの適温より低い温度の前記水を前記タンクに溜め、
前記使用者の手洗い時には、前記タンクに溜めた適温より低い温度の前記水を前記ヒータで適温まで加熱して蛇口から吐水する、ことを特徴とするトイレ用手洗い機。
【請求項２】
トイレ室内に人が入室したことを検知する人検知手段と、
前記人検知手段からの信号を受けて水を加熱するヒータと、
前記ヒータにより加熱された前記水を溜めるタンクと、から構成されるトイレ用手洗い機であって、
使用者が前記トイレ室内に入室してトイレを使用している時には、一度の手洗いに必要な水量を前記ヒータで加熱して、手洗いの適温より高い温度の前記水を前記タンクに溜め、
前記使用者の手洗い時には、前記タンクに溜めた適温より高い温度の前記水を前記ヒータで加熱しながら給水路からの加熱していない水と混合し適温に調整して蛇口から吐水する、ことを特徴とするトイレ用手洗い機。
【請求項３】
前記蛇口からの吐水温度を検知する温度検知手段を備え、前記温度検知手段からの信号で吐水温度を適温に調整することを特徴とする請求項１または請求項２のいずれかに記載のトイレ用手洗い機。
【請求項４】
手洗い時に前記タンクに溜めた前記水を超える量を前記使用者が使用する場合、前記蛇口からの吐水温度または流量のいずれか一方を確保するように前記使用者が選択可能であることを特徴とする請求項１乃至３の少なくともいずれか一項に記載のトイレ用手洗い機。
【発明の詳細な説明】
【技術分野】
【０００１】
本発明は、加熱機能を備えたトイレ用手洗い機に関する。
【背景技術】
【０００２】
従来技術として、水を供給する給水路と、貯湯タンクと、前記貯湯タンク内の水を加熱するヒータと、前記ヒータによって加熱された貯湯タンク内の水を吐水部へ導く給湯路と、貯湯タンク内の水の温度を検知するとともにヒータへの通電を制御し貯湯タンク内の温度を調節する温度調節手段とから成る貯湯式電気温水器において、トイレ内に人が存在することを検知する検知手段を備え、トイレ内に人が存在する時にのみヒータに通電し、貯湯タンク内の湯を沸かすものがある（例えば、特許文献１参照。）。
【０００３】
また、手洗い用蛇口金具部に加温機能を付加し、蛇口からの水の吐出を検出手段と、吐出する水を加温する手段とを備えたものがある（例えば、特許文献２参照。）。
【先行技術文献】
【特許文献】
【０００４】
【特許文献１】特開２００４−１８４０３８号公報
【特許文献２】特開平１０−２１９７８７号公報
【発明の概要】
【発明が解決しようとする課題】
【０００５】
しかしながら、特許文献１の従来技術では１．２ｋＷの電力を使用するが、温水洗浄便座など他の機器がトイレ室内に併設されると、トイレ室内での最大消費電力がピーク時には電流過多となる虞がある。また、使用者がトイレ室内に入室してトイレを使用している時（待機時間）が短い場合、蛇口からの吐水温度が適温より低くなる問題がある。
【０００６】
また、特許文献１の従来技術では蛇口に加温手段を付加しただけでは、吐水量が４〜５Ｌ／ｍｉｎの場合、給水温度に対して吐水温度は約３℃しか上昇しない。吐水温度を適温に維持しようとすると、吐水量が極端に少なくなる問題がある。蛇口からの吐水温度、吐水量を確保しようとすると、最大消費電力は１２ｋＷ程度必要であり、一般家庭のトイレ室内に設置することは困難である。
【０００７】
本発明は、上記問題点に鑑みて成されたものであり、最大消費電力を抑え、手洗い時に蛇口からの吐水温度、吐水量を確保できるトイレ用手洗い機を提供することを目的とする。
【課題を解決するための手段】
【０００８】
本発明の第１の課題解決手段は、トイレ室内に人が入室したことを検知する人検知手段と、前記人検知手段からの信号を受けて水を加熱するヒータと、前記ヒータにより加熱された前記水を溜めるタンクと、から構成されるトイレ用手洗い機であって、使用者が前記トイレ室内に入室してトイレを使用している時には、一度の手洗いに必要な水量を前記ヒータで加熱して、手洗いの適温より低い温度の前記水を前記タンクに溜め、前記使用者の手洗い時には、前記タンクに溜めた適温より低い温度の前記水を前記ヒータで適温まで加熱して蛇口から吐水する構成である。
【０００９】
また、第２の課題解決手段は、トイレ室内に人が入室したことを検知する人検知手段と、前記人検知手段からの信号を受けて水を加熱するヒータと、前記ヒータにより加熱された前記水を溜めるタンクと、から構成されるトイレ用手洗い機であって、使用者が前記トイレ室内に入室してトイレを使用している時には、一度の手洗いに必要な水量を前記ヒータで加熱して、手洗いの適温より高い温度の前記水を前記タンクに溜め、前記使用者の手洗い時には、前記タンクに溜めた適温より高い温度の前記水を前記ヒータで加熱しながら給水路からの加熱していない水と混合し適温に調整して蛇口から吐水する、構成である。
【００１０】
また、第３の課題解決手段は、前記蛇口からの吐水温度を検知する温度検知手段を備え、前記温度検知手段からの信号で吐水温度を適温に調整する構成である。
【００１１】
また、第４の課題解決手段は、手洗い時に前記タンクに溜めた前記水を超える量を前記使用者が使用する場合、前記蛇口からの吐水温度または流量のいずれか一方を確保するように前記使用者が選択可能な構成である。
【発明の効果】
【００１２】
本発明では、使用者がトイレ室内に入室してトイレを使用している時（待機時）と手洗い使用時の両方の時間を活用して一度の手洗いに必要な温水をつくる。よって、消費電力が平準化され、ヒータの最大消費電力を抑えることができ、手洗い時に適温で必要な量の吐水を確保できる。また、一度の手洗いに必要な温水のみをその都度つくるため、貯湯タイプと比べて、省エネ効果が得られる。
【００１３】
また、待機時に手洗いの適温より高い温度の水をタンクに溜めて、手洗い時にヒータで加熱しながら給水路からの加熱していない水と混合し適温に調整することで、タンクの容量を小さくできる。また、待機時に手洗いの適温より低い温度の水をつくるためのヒータに水を循環するためのポンプが不要である。
【００１４】
また、蛇口からの吐水温度を検知する温度検知手段を備え、吐水温度を適温に調整するるため、蛇口から快適な温度の吐水が得られる。
【００１５】
また、手洗い時にタンクに溜めた前記水を超える量を使用者が使用する場合、蛇口からの吐水温度または流量のいずれか一方を確保するように使用者が選択可能なため、使用者が快適と思える吐水を選択できる。
【図面の簡単な説明】
【００１６】
【図１】本発明の実施例１であるトイレ用手洗い機の待機時の状態を示す説明図である。
【図２】本発明の実施例１であるトイレ用手洗い機の手洗い時の状態を示す説明図である。
【図３】本発明の実施例２であるトイレ用手洗い機の待機時の状態を示す説明図である。
【図４】本発明の実施例２であるトイレ用手洗い機の手洗い時の状態を示す説明図である。
【図５】本発明の実施例３であるトイレ用手洗い機の待機時の状態を示す説明図である。
【図６】本発明の実施例３であるトイレ用手洗い機の手洗い時の状態を示す説明図である。
【図７】本発明の実施例４であるトイレ用手洗い機の待機時の状態を示す説明図である。
【図８】本発明の実施例４であるトイレ用手洗い機の手洗い時の状態を示す説明図である。
【図９】本発明の実施例５であるトイレ用手洗い機の待機時の状態を示す説明図である。
【図１０】本発明の実施例５であるトイレ用手洗い機の手洗い時の状態を示す説明図である。
【発明を実施するための形態】
【００１７】
以下に本発明の実施の形態について詳細に説明する。
【実施例１】
【００１８】
図１、図２は、本発明の実施例１であるトイレ用手洗い機１を示す説明図で、図１は待機時の状態、図２は手洗い時の状態を示す。ここで待機時とは、使用者がトイレ室内に入室してトイレを使用している時である。
【００１９】
トイレ用手洗い機１の給水回路１０は、水が供給される給水路１１と、水の供給を制御する供給弁１２と、供給弁１２からの水を溜めるタンク１３と、タンク１３の水を循環するポンプ１４と、ポンプ１４からの水が流入する給湯部１５と、給湯部１５からの水をタンク１３と蛇口１６に切り替える切替弁１７と、から構成される。
【００２０】
トイレ用手洗い機１の制御回路２０は、給湯部１５の設けられたヒータ２１と、ヒータ２１を制御する制御装置２２と、トイレ室内に人が入室したことを検知する人検知センサ２３（人検知手段）と、ポンプ１４と給湯部１５の間に設けられた温度検知センサ２４と、給湯部１５と切替弁１７の間に設けられた温度検知センサ２５（温度検知手段）と、給湯部１５と切替弁１７の間に設けられ水の流量を検知する流量検知センサ２６と、から構成される。制御装置２２は、人検知センサ２３、温度検知センサ２４、温度検知センサ２５、流量検知センサ２６からの信号により、ヒータ２１、供給弁１２、ポンプ１４、切替弁１７を制御する。制御装置２２は、手洗い時にタンク１３に溜めた水を超える量を使用者が使用する場合、蛇口１６からの吐水温度または流量のいずれか一方を確保するように初期設定可能な構成である。
【００２１】
本発明の実施例１であるトイレ用手洗い機１の動作について説明する。
【００２２】
（待機時の動作）
図１に示すように、使用者がトイレ室内に入室するのを人検知センサ２３が検知すると、ヒータ２１に６００Ｗの電力が供給されると共に、ポンプ１４が作動する。タンク１３に溜まっている水が、ポンプ１４により給湯部１５に送られ、ヒータ２１で加熱される。ヒータ２１で加熱された水は切替弁１７によりタンク１３に戻される。そしてポンプ１４により再び給湯部１５に送られ、ヒータ２１でさらに加熱される。待機時は約４１秒間続くが、その間、水はヒータ２１を循環して、給水路１１からタンク１３への供給時の水温が５℃（真冬を想定）から適温（３８℃）より低い所定温度である３１℃まで上昇する。制御装置２２は、温度検知センサ２４の温度が所定温度の３１℃に到達すると、ヒータ２１と、ポンプ１４を停止する。
【００２３】
（手洗い時の動作）
図２に示すように、制御装置２２は、切替弁１７を蛇口１６側と連通するように切り替える。タンク１３内の所定温度（３１℃）の水は、給水圧力又はポンプ１４により給湯部１５に送られる。給湯部１５に送られた水は、ヒータ２１（電力６００Ｗ）により適温（３８℃）まで上昇する。給湯部１５で適温まで加熱した水は、切替弁１７を通じて蛇口１６から１Ｌ／ｍｉｎの流量で１２秒間吐水する。手洗い時にタンク１３に溜めた水を超える量を使用者が使用する場合、制御装置２２は蛇口１６からの吐水温度または流量のいずれか一方を維持するように制御する。
【００２４】
本発明では、使用者がトイレ室内に入室してトイレを使用している時（待機時）と手洗い使用時の両方の時間を活用して一度の手洗いに必要な温水をつくる。よって、消費電力が平準化され、ヒータの最大消費電力を抑えることができ、手洗い時に適温で必要な量の吐水を確保できる。また、一度の手洗いに必要な温水のみをその都度つくるため、貯湯タイプと比べて、省エネ効果が得られる。
【００２５】
また、蛇口１６からの吐水温度を検知する温度検知センサ２５を備え、吐水温度を適温に調整するため、蛇口１６から快適な温度の吐水が得られる。
【００２６】
また、手洗い時にタンク１３に溜めた水（約２００ｍＬ）を超える量を使用者が使用する場合、蛇口１６からの吐水温度または流量のいずれか一方を確保するように使用者が選択可能なため、使用者が快適と思える吐水を選択できる。
【実施例２】
【００２７】
図３、図４は、本発明の実施例２であるトイレ用手洗い機１ａを示す説明図で、図３は待機時の状態、図４は手洗い時の状態を示す。実施例１のトイレ用手洗い機１との違いは、タンク１３へ接続する給水路１１とポンプ１４へ接続する配管の位置が異なることで、その他の構成はトイレ用手洗い機１と同じである。同一の機能、部位については同一の符号を用いて説明する。
【００２８】
トイレ用手洗い機１ａの給水回路１０ａでは、水が供給される給水路１１と、水の供給を制御する供給弁１２と、供給弁１２からの水を溜めるタンク１３ａと、タンク１３ａの水を循環するポンプ１４と、ポンプ１４からの水が流入する給湯部１５と、給湯部１５からの水をタンク１３と蛇口１６に切替える切替弁１７と、から構成される。供給弁１２からの水は、図３、図４のタンク１３ａの下方からタンク１３ａ内に流入し、ポンプ１４へは図３、図４のタンク１３ａの上方から送られる。
【００２９】
トイレ用手洗い機１ａの制御回路２０は、給湯部１５の設けられたヒータ２１と、ヒータ２１を制御する制御装置２２と、トイレ室内に人が入室したことを検知する人検知センサ２３と、ポンプ１４と給湯部１５の間に設けられた温度検知センサ２４と、給湯部１５と切替弁１７の間に設けられた温度検知センサ２５と、給湯部１５と切替弁１７の間に設けられ水の流量を検知する流量検知センサ２６と、から構成される。制御装置２２は、人検知センサ２３、温度検知センサ２４、温度検知センサ２５、流量検知センサ２６からの信号により、ヒータ２１、供給弁１２、ポンプ１４、切替弁１７を制御する。
【００３０】
（待機時の動作）
図３に示すように、使用者がトイレ室内に入室するのを人検知センサ２３が検知すると、ヒータ２１に６００Ｗの電力が供給されると共に、ポンプ１４が作動する。タンク１３ａに溜まっている水が、タンク１３ａの上方からポンプ１４により給湯部１５に送られ、ヒータ２１で加熱される。ヒータ２１で加熱された水は切替弁１７によりタンク１３ａに戻される。そしてポンプ１４により再び給湯部１５に送られ、ヒータ２１でさらに加熱される。待機時は４１秒間続くが、その間、水はヒータ２１を循環して、給水路１１からタンク１３ａへの供給時の水温が５℃から適温（３８℃）より低い所定温度である３１℃まで上昇する。制御装置２２は、温度検知センサ２４の温度が所定温度の３１℃に到達すると、ヒータ２１と、ポンプ１４を停止する。
【００３１】
（手洗い時の動作）
図４に示すように、制御装置２２は、切替弁１７を蛇口１６側と連通するように切り替える。タンク１３ａ内の所定温度（３１℃）の水は、給水圧力又はポンプ１４により給湯部１５に送られる。給湯部１５に送られた水は、ヒータ２１（電力６００Ｗ）により適温（３８℃）まで上昇する。給湯部１５で適温まで加熱された水は、切替弁１７を通じて蛇口１６から１Ｌ／ｍｉｎの流量で１２秒間吐水する。手洗い時にタンク１３ａに溜めた水を超える量を使用者が使用する場合、制御装置２２は蛇口１６からの吐水温度または流量のいずれか一方を維持するように制御する。
【００３２】
トイレ用手洗い機１ａでは、実施例１の効果に加えて、手洗い時にタンク１３に溜めた水を超える量を使用者が使用する場合（連続給湯）、タンク１３ａ内の所定温度（３１℃）の水はタンク１３ａの上方から送られる。このときタンク１３ａの下方から供給される給水路からの水（５℃）とタンク１３ａ内の所定温度（３１℃）の水の混合が抑えられるため、蛇口１６からの吐水温度の低下を防止できる。
【実施例３】
【００３３】
図５、図６は、本発明の実施例３であるトイレ用手洗い機１ｂを示す説明図で、図５は待機時の状態、図６は手洗い時の状態を示す。実施例１のトイレ用手洗い機１との違いは、タンク１３ｂ内にヒータ２７と、温度検知センサ２８を備え、タンク１３の水をヒータ２１へ循環するポンプ１４と切替弁１７を備えていないことで、その他の構成はトイレ用手洗い機１と同じである。同一の機能、部位については同一の符号を用いて説明する。
【００３４】
トイレ用手洗い機１ｂの給水回路１０ｂは、水が供給される給水路１１と、水の供給を制御する供給弁１２と、供給弁１２からの水を溜めるタンク１３ｂと、タンク１３ｂからの水が流入する給湯部１５と、給湯部１５からの水を吐水する蛇口１６から構成される。
【００３５】
トイレ用手洗い機１ｂの制御回路２０ｂは、給湯部１５の設けられたヒータ２１と、ヒータ２１を制御する制御装置２２と、トイレ室内に人が入室したことを検知する人検知センサ２３と、タンク１３ｂと給湯部１５の間に設けられた温度検知センサ２４と、給湯部１５と蛇口１６の間に設けられた温度検知センサ２５と、給湯部１５と蛇口１６の間に設けられ水の流量を検知する流量検知センサ２６と、タンク１３ｂ内に設けられたヒータ２７と、タンク１３ｂ内に設けられた温度検知センサ２８とから構成される。制御装置２２は、人検知センサ２３、温度検知センサ２４、温度検知センサ２５、流量検知センサ２６、温度検知センサ２８からの信号により、ヒータ２１、供給弁１２、ヒータ２７を制御する。
【００３６】
本発明の実施例３であるトイレ用手洗い機１ｂの動作について説明する。
【００３７】
（待機時の動作）
図５に示すように、使用者がトイレ室内に入室するのを人検知センサ２３が検知すると、ヒータ２７に６００Ｗの電力が供給される。タンク１３ｂに溜まっている水は、ヒータ２７で加熱される。待機時は約４１秒間続くが、その間、タンク１３ｂの水は水温は５℃から適温より低い所定温度である３１℃まで上昇する。
【００３８】
（手洗い時の動作）
図６に示すように、タンク１３ｂ内の所定温度３１℃の水は、給水圧力により給湯部１５に送られる。給湯部１５に送られた水は、ヒータ２１（電力６００Ｗ）により適温３８℃まで上昇する。給湯部１５で適温まで加熱した水は、蛇口１６から１Ｌ／ｍｉｎの流量で１２秒間吐水する。
【００３９】
トイレ用手洗い機１ｂでは、実施例１の効果に加えて、タンク１３ｂ内にヒータ２７と、温度検知センサ２８を備えることで、待機時にヒータ２１へタンク１３ｂ内の水を循環するポンプ１４と切替弁１７が不要になり、給水回路１０ｂ及び制御回路２０ｂの簡素化が可能になる。
【実施例４】
【００４０】
図７、図８は、本発明の実施例４であるトイレ用手洗い機１ｃを示す説明図で、図７は待機時の状態、図８は手洗い時の状態を示す。実施例１のとの違いは、トイレ用手洗い機１のタンク１３、ポンプ１４、切替弁１７を備えておらず、待機時に手洗いの適温より高い温度の水を給湯部１５ｃに溜めることである。同一の機能、部位については同一の符号を用いて説明する。
【００４１】
トイレ用手洗い機１ｃの給水回路１０ｃでは、水が供給される給水路１１と、水の供給を制御する供給弁１２と、供給弁１２から分岐した一方の水が流入する開閉弁３１と、供給弁１２から分岐した他方の水が流入する開閉弁３２と、開閉弁３１からの水が流入する給湯部１５ｃと、給湯部１５ｃからの水と開閉弁３２からの水が混合する混合部３３と、混合部３３からの水を吐水する蛇口１６から構成される。
【００４２】
トイレ用手洗い機１ｃの制御回路２０ｃは、給湯部１５ｃに設けられたヒータ２１と、ヒータ２１を制御する制御装置２２と、トイレ室内に人が入室したことを検知する人検知センサ２３と、給湯部１５ｃに設けられた温度検知センサ３４と、混合部３３と蛇口１６の間に設けられた温度検知センサ２５と、混合部３３と蛇口１６の間に設けられた流量検知センサ２６と、給湯部１５ｃに設けられた温度検知センサ３４と、開閉弁３２と混合部３３の間に設けられた流量検知センサ３５と、から構成される。制御装置２２は、人検知センサ２３、温度検知センサ２５、流量検知センサ２６、温度検知センサ３４、流量検知センサ３５からの信号により、ヒータ２１、供給弁１２、開閉弁３１、開閉弁３２、混合部３３を制御する。
【００４３】
（待機時の動作）
図７に示すように、使用者がトイレ室内に入室するのを人検知センサ２３が検知すると、ヒータ２１に６００Ｗの電力が供給される。給湯部１５ｃに溜まっている水は、給湯部１５ｃ（容量１００ｍＬ）に設けられたヒータ２１で加熱される。待機時は４１秒間続くが、その間、水はヒータ２１により、水温が５℃から適温（３８℃）より高い所定温度５１℃まで上昇する。制御装置２２は、温度検知センサ３４の温度が所定温度の５１℃に到達すると、ヒータ２１を停止する。
【００４４】
（手洗い時の動作）
図８に示すように、制御装置２２は、開閉弁３１、３２を開動作する。給湯部１５ｃの５１℃の水は、ヒータ２１（電力６００Ｗ）により７１℃まで加熱される。７１℃まで加熱された水（０．５Ｌ／ｍｉｎ）は混合部３３に送られ、ここで開閉弁３２を流動してきた給水路からの水（５℃、０．５Ｌ／ｍｉｎ）と混合する。混合部３３で混合した水（３８℃）は、蛇口１６から１Ｌ／ｍｉｎの流量で１２秒間吐水する。
【００４５】
トイレ用手洗い機１ｃでは、実施例１の効果に加えて、待機時にヒータ２１へ水を循環するポンプ１４が不要である。また給湯部１５ｃ（容量１００ｍＬ）をタンクとして用いることで、実施例１のタンク１３（容量２００ｍＬ）が不要で、給水回路１０ｃの簡素化が可能になる。トイレ用手洗い機１ｃが小型化することで、流し台の下などの狭いスペースにも設置が可能になる。
【実施例５】
【００４６】
図９、図１０は、本発明の実施例５であるトイレ用手洗い機１ｄを示す説明図で、図９は待機時の状態、図１０は手洗い時の状態を示す。実施例１のとの違いは、トイレ用手洗い機１のポンプ１４、給湯部１５、切替弁１７を備えておらず、タンク１３ｄに区切り部材４１と温度検知センサ４３を設けたことである。同一の機能、部位については同一の符号を用いて説明する。
【００４７】
トイレ用手洗い機１ｄの給水回路１０ｄは、水が供給される給水路１１と、水の供給を制御する供給弁１２と、供給弁１２からの水を溜めるタンク１３ｄと、タンク１３ｂからの水が吐水する蛇口１６から構成される。
【００４８】
トイレ用手洗い機１ｄの制御回路２０ｄは、タンク１３ｄに設けたヒータ２１と、ヒータ２１を制御する制御装置２２と、トイレ室内に人が入室したことを検知する人検知センサ２３と、タンク１３ｄと蛇口１６の間に設けられた温度検知センサ２５と、タンク１３ｄと蛇口１６の間に設けられ水の流量を検知する流量検知センサ２６と、タンク１３ｄ内に設けられたヒータ２１と、タンク１３ｄ内に設けられた温度検知センサ４３と、タンク１３ｄ内の空間を区切る区切り部材４１から構成される。制御装置２２は、人検知センサ２３、温度検知センサ２５、流量検知センサ２６、温度検知センサ４３からの信号により、ヒータ２１、供給弁１２、区切り部材４１を制御する。区切り部材４１はプレート４２を備え、プレート４２が移動することでタンク１３ｄ内の空間を区切る構成である。
【００４９】
本発明の実施例５であるトイレ用手洗い機１ｄの動作について説明する。
【００５０】
（待機時の動作）
図９に示すように、使用者がトイレ室内に入室するのを人検知センサ２３が検知すると、ヒータ２１に６００Ｗの電力が供給される。タンク１３ｄに溜まっている水は、ヒータ２１で加熱される。待機時は約４１秒間続くが、その間、タンク１３ｄ水は水温は５℃から適温より低い所定温度である３１℃まで上昇する。区切り部材４１のプレート４２は、タンク１３ｂに供給された水が、ヒータ２１で加熱されるように水の供給側に開いた状態である。
【００５１】
（手洗い時の動作）
図１０に示すように、タンク１３ｄ内の所定温度３１℃の水は、給水圧力により給湯部１５に送られる。このとき区切り部材４１は、所定温度である３１℃の水の温度が低下しないように、水の供給側と区切るようプレート４２を移動する。所定温度の水は、タンク１３ｄ内で、ヒータ２１（電力６００Ｗ）により適温３８℃まで上昇し、蛇口１６から１Ｌ／ｍｉｎの流量で１２秒間吐水する。
【００５２】
トイレ用手洗い機１ｄでは、タンク１３ｄ内でヒータ２１が区切られるため、適温３８℃まで上昇した水はワンパスで蛇口１６から吐水される。また、待機時にヒータ２１へ水を循環するポンプ１４と切替弁１７が不要であり、給水回路１０ｄ及び制御回路２０ｄの簡素化が可能になる。
【符号の説明】
【００５３】
１  トイレ用手洗い機
１３  タンク
１４  ポンプ
１５  給湯部
１６  蛇口
１７  切替弁
２１  ヒータ
２３  人検知センサ（人検知手段）
２５  温度検知センサ（温度検知手段）
【図１】
2010236233.tif 000003
【図２】
2010236233.tif 000004
【図３】
2010236233.tif 000005
【図４】
2010236233.tif 000006
【図５】
2010236233.tif 000007
【図６】
2010236233.tif 000008
【図７】
2010236233.tif 000009
【図８】
2010236233.tif 000010
【図９】
2010236233.tif 000011
【図１０】
2010236233.tif 000012